(57)【要約】　　　（修正有）【課題】キャスターの不用な転動を確実に防止できる新規な収納ケースを提案する。【解決手段】物品を収納する内部空間を有するケース本体１とこのケース本体に合わさって該ケース本体を密閉する蓋体２とを備える収納ケースにおいて、前記ケース本体に、蝶番ｈを介して揺動可能に保持されケース本体の底壁に合わさるスイングプレート３を設け、このスイングプレートに、収納ケース移送用のキャスター４を設置する。ケース本体はスイングプレートを揺動してキャスターを収納する区画凹所５を有する。【選択図】　　　　図１
2004098856.tif 000002
【特許請求の範囲】
【請求項１】
物品を収納する内部空間を有するケース本体とこのケース本体に合わさって該ケース本体を密閉する蓋体とを備える収納ケースであって、
前記ケース本体に、蝶番を介して揺動可能に保持されケース本体の底壁に合わさるスイングプレートを設け、このスイングプレートに、収納ケース移送用のキャスターを設置したことを特徴とする格納式キャスターを備えた収納ケース。
【請求項２】
ケース本体は、その側壁に、スイングプレートを揺動させて格納する区画凹所を有する請求項１記載の収納ケース。
【発明の詳細な説明】
【０００１】
【発明の属する技術分野】
本発明は、衣装や日用品、家電製品あるいは精密器機等を入れて持ち運ぶのに好適な格納式キャスターを備えた収納ケースに関するものである。
【０００２】
【従来の技術】
重量物等を入れて搬送するのに使用される収納ケースは、搬送作業を容易ならしめるために、その底部には普通、ストッパーによって制動力を付加することができる仕組みをもったキャスターが取り付けられている。
【０００３】
ところで、かかる収納ケースは、例えば、トラックの荷台等に乗せて搬送するとき、不用意な位置ずれを起こさぬようにストッパにーによってキャスターに制動力を付加しているにもかかわらず、路面状況によって荷台のレベルに変動が生じたときに該キャスターが転動して収納ケースが移動いてしまい、収納ケースに納めた物品に衝撃を与えたり、他のケースや混載されているものに重大な影響を与えるおそれがあった。
【０００４】
この点に関しては、キャスターを着脱自在な構造として、積載時にのみキャスターを取り外して収納ケースの設置姿勢の安定化を図る試みもあるけれども、このような着脱形式の収納ケースでは、キャスターの取り外し取り付けのための余計な作業が必要であり、また、取り外したキャスターを別途に保管しておかなければならないことから使い勝手がよくないところに問題を有している。
【０００５】
【発明が解決しようとする課題】
本発明の課題は、キャスターの不用な転動を確実に防止できる新規な収納ケースを提案するところにある。
【０００６】
【課題を解決するための手段】
本発明は、物品を収納する内部空間を有するケース本体とこのケース本体に合わさって該ケース本体を密閉する蓋体とを備える収納ケースであって、
前記ケース本体に、蝶番を介して揺動可能に保持されケース本体の底壁に合わさるスイングプレートを設け、このスイングプレートに、収納ケース移送用のキャスターを設置したことを特徴とする格納式キャスターを備えた収納ケースである。
【０００７】
上記の収納ケースにおいて、ケース本体の側壁には、スイングプレートを揺動させてキャスターを格納する区画凹所を設けることができる。
【０００８】
【発明の実施の形態】
以下、図面を用いて本発明をより具体的に説明する。
【０００９】
図１〜図３は、本発明の実施の形態を示したものであり、図１は収納ケースの左側面、図２は正面図、図３は右側面をそれぞれ示したものである。
【００１０】
図において１は物品を収納する内部空間を有するケース本体、２はケース本体１に例えば蝶番（図示せず）を介して揺動可能に保持することができる把手付きの蓋体であり、この蓋体２をケース本体１の開口部に合わせることによって密閉状態を維持する。
【００１１】
また、３は蝶番ｈを介してケース本体１に揺動可能に保持されるスイングプレート、４はスイングプレート３に固定保持されるキャスター、そして５はケース本体１の側壁の下側において横向きの開口を有する区画凹所であり、その要部の断面を図４に示す。
【００１２】
上掲図１〜３に示した収納ケースにおいて、収納ケースを移動可能な状態にするにはスングプレート３を蝶番ｈを支点にしてキャスター４とともに揺動させて図１及び図２の左側に示すように該スイングプレート３をケース本体１の底壁に合わせることでキャスター４を収納ケースの下側に位置させる。
【００１３】
一方、トラックの荷台等、一定の場所に載置しておく場合には、スイングプレート３をキャスター４とともにケース本体１の側壁に向けて反転させるとともにキャスター４を図２の右側、図３及び図５に示すように区画凹所５内に格納すればよい。
【００１４】
キャスター４を格納した状態では、ケース本体１の底壁には、接地ブロック６が存在するのみなので、荷台等においてそのレベルに変動が生じたとしても収納ケースが簡単に移動することはない。
【００１５】
スイングプレート３の背面（キャスター４を取り付けた反対側の面）には、凹部（図示せず）を設けておくことができ、接地ブロック６はスイングプレート３をケース本体１の底壁に合わせたとき、その凹部に入れ込んで格納するようにする。
【００１６】
キャスター４をケース本体１の底壁に位置させた状態にあるときはもとより格納状態にあるとき、スイングプレート３が揺動しないように、係止金具７を設けてケース本体１に確実にロックしておくのがよい。
【００１７】
キャスター４を格納するには、係止金具７によるロックを解除した状態で収納ケースを一端持ち上げることにより行う。例えば、収納ケースの把手をつかんで該ケースを持ち上げると、スイングプレート３は図６に示すように蝶番ｈを支点にしてケース本体１の底壁から離れる向きに反転するのでその反転動作と同時にケース本体１を接地させる。そうするとスイングプレート３は図７に示すようにケース本体１に対して常時揺動可能な状態になるので該スイングプレート３を単に引き起こすことでキャスター４の格納が可能であり、この作業を片側ずつ交互に行う。
【００１８】
本発明の実施の形態では、収納ケースの底壁の両端にそれぞれスングプレート３を配置し各スイングプレート３の両端にキャスター４を設ける場合を例として示したが、該スイングプレート３は、各キャスター４に対応して個別に配置してもよく、この点についてはとくに限定されない。
【００１９】
また、収納ケースは、ケース本体１と蓋体２を備えたボックス型の収納ケースを例として示したが、収納ケースの形状もこれにのみ限定されるものではない。
【００２０】
【発明の効果】
本発明によれば、収納ケースを移動させる必要がないときは、スライドプレートの反転によってキャスターを収納ケースの側壁部分に格納できるので、設置面のレベルに変動が生じても収納ケースが簡単に動くことはなく、物品の安全で確実な搬送が可能になる。
【図面の簡単な説明】
【図１】本発明に従う収納ケースの左側面図である。
【図２】図１に示した収納ケースの正面図である。
【図３】図１に示した収納ケースの右側面図である。
【図４】図１の要部の断面を示した図である。
【図５】キャスターの格納状態を示した図である。
【図６】キャスターの格納要領の説明図である。
【図７】キャスターの格納要領の説明図である。
【符号の説明】
１　ケース本体
２　蓋体
３　スイングプレート
４　キャスター
５　区画凹所
６　接地ブロック
７　係止金具
ｈ　蝶番
【図１】
2004098856.tif 000003
【図２】
2004098856.tif 000004
【図３】
2004098856.tif 000005
【図４】
2004098856.tif 000006
【図５】
2004098856.tif 000007
【図６】
2004098856.tif 000008
【図７】
2004098856.tif 000009